(57)【要約】【課題】樹木等の成長物の成長による破断を確実に回避するとともに、部品点数の削減によるコストダウン及び装着作業の容易化を図り、また、鳥獣害防止効果をより高める。【解決手段】成長物Ｔに巻付ける第一バンド部２を備え、この第一バンド部２の長手方向一端２ｓ側に挿通孔３を設け、かつ第一バンド部２の長手方向他端２ｔ側に挿通孔３に挿通する所定長さＬｄの第二バンド部４を設けるとともに、この第二バンド部４の幅方向両側の辺部４ｐ，４ｑにそれぞれ複数の弾性突出部５…を長手方向に沿って所定間隔おきに設け、かつ第二バンド部４の幅方向における一方側の弾性突出部５…の先端から他方側の弾性突出部５…の先端までの長さＬｉを、挿通孔３の幅方向長さＬｈよりも長くなるように選定する。【選択図】図１
2004298004.tif 000002
【特許請求の範囲】
【請求項１】
成長物に巻付けて使用する成長物用カバーにおいて、前記成長物に巻付ける第一バンド部を備え、この第一バンド部の長手方向一端側に挿通孔を設け、かつ前記第一バンド部の長手方向他端側に前記挿通孔に挿通する所定長さの第二バンド部を設けるとともに、この第二バンド部の幅方向両側の辺部にそれぞれ複数の弾性突出部を長手方向に沿って所定間隔おきに設け、かつ前記第二バンド部の幅方向における一方側の弾性突出部の先端から他方側の弾性突出部の先端までの長さを、前記挿通孔の幅方向長さよりも長くなるように選定したことを特徴とする成長物用カバー。
【請求項２】
前記第一バンド部，前記第二バンド部及び前記弾性突出部は、弾性素材を用いた網部材により一体形成することを特徴とする請求項１記載の成長物用カバー。
【請求項３】
前記成長物は樹木であり、この樹木に巻付ける鳥獣害防止具に適用したことを特徴とする請求項１記載の成長物用カバー。
【発明の詳細な説明】
【０００１】
【発明の属する技術分野】
本発明は、樹木を鳥獣から保護する鳥獣害防止具等に用いて好適な成長物用カバーに関する。
【０００２】
【従来の技術】
一般に、森林の野生鳥獣による被害は、主に、鹿，熊等によってもたらされる場合が顕著である。このため、従来より防護柵，忌避剤，爆音等による各種対策が講じられているが、その効果は限定的であったり、或いは実施に伴って相当のコストと労力（作業）が強いられるとともに、ゴミの発生による自然環境への悪影響が指摘され、従来より、少ないコストと労力により実施することができ、しかも自然環境への悪影響を回避しつつ鳥獣害に対する十分な防止効果を得ることができる有効な対策が望まれていた。
【０００３】
そこで、本出願人は、既に、このような対策に有効な鳥獣害防止具を、特開２００２−３３０６９１号公報により提案した。この鳥獣害防止具は、少なくとも生分解性樹脂によりシート状に形成し、かつ樹木の所定位置に巻付可能なバンド部と、少なくとも生分解性樹脂により形成し、バンド部を樹木の所定位置に巻付けた際に、バンド部を筒状に固定可能な固定部により構成したものであり、これにより、少ないコストと労力により実施可能になるとともに、自然環境に対する悪影響の回避と十分な鳥獣害防止効果が実現される。
【特許文献１】
特開２００２−３３０６９１号公報
【０００４】
【発明が解決しようとする課題】
しかし、上述した鳥獣害防止具には、次のような解決すべき課題も残されていた。
【０００５】
第一に、樹木は、年を追って成長するため、上述した鳥獣害防止具も、バンド部に、長手方向に伸長させる複数の切込部を設け、樹木の成長に追従できるようにしていたが、このような切込部では、伸長できる長さに限界があり、結局、樹木の成長如何によっては、破断により外れてしまう虞れがある。
【０００６】
第二に、樹木に装着する際は、バンド部を筒状に固定する別途の固定部が必要になるため、部品点数の増加によるコストアップを招くとともに、面倒な装着作業が必要になる。
【０００７】
第三に、樹木にバンド部が巻付く態様のみとなるため、形状的に単純化し、鳥獣害防止効果をより高めるための改善余地がある。
【０００８】
本発明は、このような従来の技術に存在する課題を解決したものであり、樹木等の成長物の成長による破断を確実に回避するとともに、部品点数の削減によるコストダウン及び装着作業の容易化を図り、加えて、鳥獣害防止効果をより高めることができる成長物用カバーの提供を目的とする。
【０００９】
【課題を解決するための手段及び実施の形態】
本発明は、成長物Ｔに巻付けて使用する成長物用カバー１，１ｅを構成するに際して、成長物Ｔに巻付ける第一バンド部２を備え、この第一バンド部２の長手方向一端２ｓ側に挿通孔３を設け、かつ第一バンド部２の長手方向他端２ｔ側に挿通孔３に挿通する所定長さＬｄの第二バンド部４を設けるとともに、この第二バンド部４の幅方向両側の辺部４ｐ，４ｑにそれぞれ複数の弾性突出部５…を長手方向に沿って所定間隔おきに設け、かつ第二バンド部４の幅方向における一方側の弾性突出部５…の先端から他方側の弾性突出部５…の先端までの長さＬｉを、挿通孔３の幅方向長さＬｈよりも長くなるように選定したことを特徴とする。この場合、好適な実施の形態により、第一バンド部２，第二バンド部４及び弾性突出部５…は、弾性素材を用いた網部材Ｎにより一体形成することができる。また、成長物Ｔとして樹木に適用し、かつ成長物用カバー１，１ｅとして樹木に巻付ける鳥獣害防止具に適用することができる。
【００１０】
これにより、成長物用カバー１，１ｅを、成長物Ｔに巻付けるとともに、第二バンド部４を挿通孔３に挿入すれば、弾性突出部５…は弾性変形するため、第二バンド部４を挿通孔３に挿通させることができる。この際、挿通孔３を通過した弾性突出部５…は弾性復帰するとともに、弾性復帰した弾性突出部５…は、挿通孔３の縁部に係止するため、容易な抜けが阻止され、成長物用カバー１，１ｅは、成長物Ｔに巻付いた状態で保持される。装着により挿通孔３を挿通した第二バンド部４の先端は自由端となって成長物Ｔから突出する。一方、成長物Ｔが成長した場合、この成長物Ｔに装着した成長物用カバー１，１ｅの径も大きくなる。この際、弾性突出部５…は、弾性変形により挿通孔３を通過し、成長物用カバー１，１ｅの径が大きくなる。なお、この径の大きさは、第二バンド部４の長手方向長さＬｄの選定により任意に設定される。
【００１１】
【実施例】
次に、本発明に係る好適な実施例を挙げ、図面に基づき詳細に説明する。
【００１２】
まず、本実施例に係る鳥獣害防止具（成長物用カバー）１の構成について、図１〜図３を参照して説明する。
【００１３】
図２に、鳥獣害防止具１の全体構成を示す。鳥獣害防止具１は、全体を弾性素材を用いた網部材Ｎにより一体形成する。したがって、製造に際しては、図２に仮想線で示すような同一幅で連続した形状の網材Ｎｏを用意し、同図に実線で示す形状の鳥獣害防止具１を切取ればよい。このように、本実施例に係る鳥獣害防止具１は、極めて容易に製造することができる。
【００１４】
網材Ｎｏは、所定の弾性を有する合成樹脂等の弾性素材を用いる。この場合、一般的な合成樹脂を用いてもよいが、望ましくは高分子用光安定剤を配合した生分解性樹脂、例えば、特開２００２−３３０６９１号公報等で開示される生分解性樹脂を用いることができる。この種の生分解性樹脂は、通常の使用では、他の一般的な合成樹脂（汎用樹脂）と同等の物性を有するが、土壌などの自然環境中では、微生物により水と二酸化炭素に分解される。また、高分子用光安定剤を適量配合することにより、特に、耐候性が高められる。
【００１５】
鳥獣害防止具１は、幅Ｌａ（例えば、２０〔ｃｍ〕程度）及び長さＬｂ（例えば、４０〔ｃｍ〕程度）の短冊状をなす第一バンド部２を備える。また、第一バンド部２の長手方向一端２ｓ側には、挿通孔３を設けるとともに、第一バンド部２の長手方向他端２ｔ側には、当該挿通孔３に挿通する幅Ｌｃ（例えば、１３〔ｃｍ〕程度）及び長さＬｄ（例えば、６０〔ｃｍ〕程度）の第二バンド部４を設ける。さらに、第二バンド部４の幅方向両側の辺部４ｐ，４ｑには、それぞれ複数の弾性突出部５…を長手方向に沿って所定間隔おきに設ける。この場合、第二バンド部４の幅方向における一方側の弾性突出部５…の先端から他方側の弾性突出部５…の先端までの長さＬｉは、挿通孔３の幅方向長さＬｈよりも長くなるように選定、即ち、Ｌｉ＞Ｌｈとなるように選定する。
【００１６】
このような弾性突出部５…は、網材Ｎｏを切取る際の位置を選定することにより容易に設けることができる。また、網材Ｎｏの切断時に、第一バンド部２の幅方向両側の辺部に、弾性突出部５…と同様の突出部を残すことにより、鳥獣に対する忌避効果を高めることができる。なお、１１は、第二バンド部４の先端に設けた案内片であり、これにより、第二バンド部４を挿通孔３へ容易に挿入可能となる。さらに、鳥獣害防止具１には、鳥獣に対する忌避効果の高い色を付すとともに、必要により夜光塗料（蓄光性顔料）等を塗布（又は混入）することができる。
【００１７】
次に、本実施例に係る鳥獣害防止具１の使用方法及び作用について、図１〜図３を参照して説明する。
【００１８】
まず、鳥獣害防止具１を、装着しようとする樹木（成長物）Ｔへ持って行く。そして、図１に示すように、鳥獣Ａから見える樹木Ｔの所定位置Ｘｅ、望ましくは、熊や鹿等の比較的大きい鳥獣Ａにとって目の高さに相当する地面から９０〔ｃｍ〕程度の高さに、鳥獣害防止具１を巻き付けるとともに、図３に示すように、第二バンド部４を、挿通孔３に挿入する。挿入時には、第二バンド部４に設けた弾性突出部５…が挿通孔３の縁部に当接するが、弾性突出部５…は弾性変形するため、第二バンド部４を挿通孔３に対して挿通させることができる。なお、図３は、見易くするために、網部材Ｎの網目を省略してある。
【００１９】
そして、第一バンド部２及び第二バンド部４が樹木Ｔの表面に密着するように、第二バンド部４を挿通孔３に対して締め付ける。この際、挿通孔３を通過した弾性突出部５…は、図３に一点鎖線円Ｋｅで示す拡大図のように、弾性復帰するとともに、弾性復帰した弾性突出部５…は、挿通孔３の縁部に係止するため、容易な抜けが阻止される。よって、鳥獣害防止具１は、図１に示すように、樹木Ｔに巻付いた状態で保持される。このように、本実施例に係る鳥獣害防止具１は、別途の固定手段が不要なため、極めて容易に装着できるとともに、部品点数の削減によるコストダウンを図ることができる。
【００２０】
装着された鳥獣害防止具１は、長さＬｄを有する第二バンド部４の先端側４ｆが、図１及び図３に示すように挿通孔３から突出するとともに、先端側４ｆの先端は自由端になり、風等によって揺らされることになる。よって、樹木Ｔに巻付けられた第一バンド部２（第二バンド部４）及び樹木Ｔから横方向に突出した第二バンド部４の先端側４ｆによって、鳥獣害防止具１は形状的に複雑化し、樹木Ｔを鳥獣Ａから有効に保護できる。即ち、鳥獣Ａは、人為的に付加された造作物には近寄らないという習性から樹木Ｔが保護される。特に、鳥獣害防止具１を装着する所定位置Ｘｅを、地面から９０〔ｃｍ〕程度の高さに選定すれば、熊や鹿等の比較的大きい鳥獣Ａにとっては目の高さとなり、より鳥獣害防止効果を高めることができる。
【００２１】
一方、樹木Ｔが成長して径が太くなった場合、樹木Ｔに巻付けた鳥獣害防止具１も追従して広がるが、弾性突出部５…は、図３の拡大図において仮想線で示す弾性突出部５ｓのように弾性変形するため、挿通孔３の縁部を乗り越え、鳥獣害防止具１の径も大きくなる。なお、この際に追従できる鳥獣害防止具１の径は、第二バンド部４の長さＬｄを選定することにより任意に設定することができる。したがって、樹木Ｔの成長による鳥獣害防止具１の破断を確実に回避することができる。
【００２２】
また、鳥獣害防止具１は、網部材Ｎにより形成するため、通気性が確保され、巻付けた第一バンド部２及び第二バンド部４における内部側の蒸れが防止されるとともに、太陽光が通過するため、良好な自然環境を維持できる。しかも、鳥獣害防止具１を、生分解性樹脂に適量の高分子用光安定剤を配合して形成すれば、屋外の環境下でも耐候性を格段と高めることができ、長期間の装着が可能、即ち、鳥獣害防止効果を長期間にわたって持続させることができるとともに、伐採などで樹木Ｔを切倒した際に、鳥獣害防止具１をそのまま地面上に放置しても、土壌などの自然環境中における微生物により水と二酸化炭素に分解され、自然環境に悪影響を及ぼすことはない。
【００２３】
他方、図４には、本発明の変更実施例に係る鳥獣害防止具（成長物用カバー）１ｅを示す。
【００２４】
変更実施例に係る鳥獣害防止具１ｅは、比較的幅の広い第一バンド部２、具体的には、図２に示した実施例の三倍程度の幅を有する第一バンド部２を用いる場合であり、幅方向に三つの挿通孔３…を所定間隔おきに設けるとともに、対応する三つの第二バンド部４…を設けたものである。このように、必要により第一バンド部２の幅を広くすることができるとともに、対応して複数の挿通孔３…及び第二バンド部４…を設けることができる。なお、他の基本的な構成及び形状等は、図２に示した実施例と同じである。このため、図４において図２と同一部分には、同一符号を付してその構成を明確にした。
【００２５】
さらに、第一バンド部２及び第二バンド部４は、網部材Ｎを用いた場合を例示したが、図４に二点鎖線円Ｋｃで示すように、第二バンド部４（及び第一バンド部２）を網目の無いシート状の第二バンド部４ｓ（第一バンド部２も同じ）により形成し、この第二バンド部４ｓに弾性突出部５…を設けることもできる。この場合には、成長物用カバー１ｅ，１を樹木Ｔの保温カバー等として用いることができる。
【００２６】
以上、実施例について詳細に説明したが、本発明はこのような実施例に限定されるものではなく、細部の構成，形状，素材，数量等において、本発明の要旨を逸脱しない範囲で、任意に変更，追加，削除することができる。例えば、案内片１１の形状を先端尖形（三角形）に形成するなどにより、鳥獣Ａに対する忌避効果をより高めてもよい。また、樹木Ｔに対して一つの鳥獣害防止具１を装着した場合を示したが、複数の鳥獣害防止具１…を樹木Ｔにおける異なる複数の高さに装着しても勿論よい。さらに、成長物として樹木Ｔを例示したが、その他、動物の胴体に巻付けることにより、動物の成長観察等を行う識別用ゼッケン等に用いることもできる。
【００２７】
【発明の効果】
このように、本発明に係る成長物用カバーは、成長物に巻付ける第一バンド部の長手方向一端側に挿通孔を設け、かつ第一バンド部の長手方向他端側に挿通孔に挿通する所定長さの第二バンド部を設けるとともに、この第二バンド部の幅方向両側の辺部にそれぞれ複数の弾性突出部を長手方向に沿って所定間隔おきに設け、かつ第二バンド部の幅方向における一方側の弾性突出部の先端から他方側の弾性突出部の先端までの長さを、挿通孔の幅方向長さよりも長くなるように選定したため、次のような顕著な効果を奏する。
【００２８】
（１）  成長物の成長に追従できるとともに、追従できる鳥獣害防止具の径は、第二バンド部の長さを選定することにより任意に設定することができるため、樹木の成長による鳥獣害防止具の破断を確実に回避することができる。
【００２９】
（２）  別途の固定手段が不要なため、成長物に対して極めて容易に装着できるとともに、部品点数の削減によるコストダウンを図ることができる。
【００３０】
（３）  好適な実施の形態により、第一バンド部，第二バンド部及び弾性突出部を、弾性素材を用いた網部材により一体形成すれば、製造の容易化を図れるとともに、通気性の確保により、巻付けた第一バンド部及び第二バンド部における内部側の蒸れを防止でき、しかも、太陽光の通過により、良好な自然環境を維持できる。
【００３１】
（４）  好適な実施の形態により、成長物として樹木に適用し、かつ鳥獣害防止具として利用すれば、特に、樹木に巻付けた第一バンド部（第二バンド部）及び樹木から横方向に突出する第二バンド部の先端側により、鳥獣害防止具を形状的に複雑化させることができるため、樹木を鳥獣からより有効に保護することができる。
【図面の簡単な説明】
【図１】本発明の好適な実施例に係る成長物用カバーを樹木に装着した状態を示す正面図、
【図２】同成長物用カバーの全体を示す正面図、
【図３】同成長物用カバーの使用説明図、
【図４】本発明の変更実施例に係る成長物用カバーの全体を示す正面図、
【符号の説明】
１    成長物用カバー（鳥獣害防止具）
１ｅ  成長物用カバー（鳥獣害防止具）
２    第一バンド部
２ｓ  第一バンド部の長手方向一端
２ｔ  第一バンド部の長手方向他端
３    挿通孔
４    第二バンド部
４ｐ  第二バンド部の幅方向両側辺部
４ｑ  第二バンド部の幅方向両側辺部
５…  弾性突出部
Ｔ    成長物（樹木）
Ｌｉ  一方側の弾性突出部の先端から他方側の弾性突出部の先端までの長さ
Ｌｈ  挿通孔の幅方向長さ
Ｎ    網部材
【図１】
2004298004.tif 000003
【図２】
2004298004.tif 000004
【図３】
2004298004.tif 000005
【図４】
2004298004.tif 000006